(57)【特許請求の範囲】
【請求項１】
固定部材（１）と開閉体（２）のいずれか一方の部材に被捕捉部材（１１）を取り付けるとともに他方の部材に捕捉引込機構（２０）を設け、開閉体（２）の閉まり際に、被捕捉部材（１１）を捕捉して、弾性体（５０）の張力で所定の向きに引き寄せることにより開閉体（２）を強制的に閉じるように構成した開閉体閉止装置（１０）において、
前記捕捉引込機構（２０）は、
前記被捕捉部材（１１）を捕捉するキャッチャ（３０）と、
前記キャッチャ（３０）を作動させるキャッチャガイド（６５）と、
前記弾性体（５０）の張力に抗して前記キャッチャ（３０）を前記被捕捉部材（１１）を捕捉するための待機位置に保持するためのロック機構（９０）と、を有し、
前記キャッチャ（３０）は、互いに内向きに弾性変形することによって前記被捕捉部材（１１）を両側から掴んで捕捉する一対の捕捉片（３１、３２）を一体成型してなる樹脂成型品であり、
前記キャッチャガイド（６５）は、
前記キャッチャ（３０）の両捕捉片（３１、３２）の間に介在し、前記開閉体の閉まり際に前記被捕捉部材に押されて前記キャッチャ（３０）の奥部に相対的に移動するストライカ部（６０）と、
前記ストライカ部（６０）の前記キャッチャ（３０）の奥部への相対的な移動に連動して、前記キャッチャ（３０）の両捕捉片（３１、３２）を互いに内向きに弾性変形させて前記被捕捉部材（１１）を捕捉した捕捉状態に導くガイド部（６１）と、を有し、
前記ロック機構（９０）は、
前記キャッチャ（３０）の両捕捉片（３１、３２）の外側部にそれぞれ形成された第1係止部（３１ｄ、３２ｄ）と、前記待機位置にて第1係止部（３１ｄ、３２ｄ）と係脱する第２係止部（２２ｂ）とを有し、
両係止部（３１ｄ、３２ｄ）、（２２ｂ）が互いに係合することにより前記キャッチャ（３０）を前記待機位置に保持し、
前記キャッチャ（３０）の前記待機状態から前記捕捉状態への状態変化に伴って、両係止部（３１ｄ、３２ｄ）、（２２ｂ）の互いの係合を解くように構成されている、開閉体閉止装置。
【請求項２】
前記ガイド部（６１）が、前記キャッチャ（３０）の両捕捉片（３１、３２）の先端部に作用して前記キャッチャ（３０）を作動させるように構成されている、請求項１記載の開閉体閉止装置。
【請求項３】
前記ガイド部（６１）には、ガイド孔（６１ａ）が設けられ、
前記キャッチャ（３０）の両捕捉片（３１、３２）の先端部には、前記ガイド孔（６１ａ）に係合しつつ案内されるガイド突起部（３１ｃ、３２ｃ）が設けられている、請求項２記載の開閉体閉止装置。
【請求項４】
前記被捕捉部材（１１）は、その先端に係合部（１１ｂ）を有し、前記ストライカ部（６０）が前記キャッチャ（３０）の奥部に移動した状態においても、その係合部（１１ｂ）を前記キャッチャ（３０）の両捕捉片（３１、３２）の先端部間に圧入し係合させることにより、前記キャッチャ（３０）の先端部（３１ａ、３２ａ）に連結可能である、請求項１乃至３の何れかに記載の開閉体閉止装置。
【請求項５】
前記キャッチャガイド（６５）を前記キャッチャ（３０）の奥部側から先端側に常時付勢している弾性部材を有する、請求項１乃至３の何れかに記載の開閉体閉止装置。
【発明の詳細な説明】
【技術分野】
【０００１】
本発明は、引き戸や抽斗など開閉体をレールなど固定部材に対して移動可能に保持してなる開閉装置（引戸装置、開戸装置、抽斗装置、等）において、開閉体を強制的に閉める装置に関し、より詳細には、開閉体の閉まり際に、被捕捉部材を捕捉して所定の方向に引き寄せることにより開閉体を閉位置に誘導するように構成した開閉体閉止装置に関する。
【背景技術】
【０００２】
従来、固定部材と開閉体のいずれか一方の部材に被捕捉部材を取り付けるとともに他方の部材に捕捉引込機構を設け、開閉体の閉まり際に、被捕捉部材を捕捉して所定の方向に引き寄せることにより開閉体を強制的に閉位置に誘導するように構成した開閉体閉止装置が知られている。
【０００３】
従来の開閉体閉止装置として、図１９に示す捕捉引込機構を備えたものがある。図１９に示す捕捉引込機構１１０は、被捕捉部材１１１を捕捉する捕捉体１１２と、引張ばね１１３の張力によって図示しない引き戸（開閉体）を閉じる向きに付勢されている引込体１１４と、を有している。引き戸（開閉体）は、その上方に敷設された図示しないガイドレールに沿って開閉方向に案内される。被捕捉部材１１１は、ガイドレール内の所定の位置に固定されている。
【０００４】
捕捉体１１２は、円弧状に湾曲した一対の捕捉片１１５ａ、１１５ｂと、引込体１１４の先端部に前後に移動可能に挿入されたスライド体１１６とを有している。捕捉片１１５ａ、１１５ｂは、スライド体１１６の先端にヒンジ部１１５ｃを介して左右対称に回動自在に設けられている。
【０００５】
スライド体１１６の後端には後方に突き出した軸部１１６ａが設けられている。この軸部１１６ａは、コイルばね１１８に挿入され、コイルばね１１８と共に引込体１１４の内部の図示しない孔に挿入されている。コイルばね１１８の弾性力により、スライド体１１６は先端側に常時付勢されている。
【０００６】
捕捉片１１５ａ、１１５ｂの先端近傍下端には、両捕捉片１１５ａ、１１５ｂを左右対称に回動させるための操作突起１１５ｄが各々設けられている。操作突起１１５ｄは、図示しないカム部に係合している。カム部は、捕捉体１１２及び引込体１１４を収容している図示しない筐体に形成されており、引込体１１４に対してスライド体１１６が先端側に移動したときに捕捉片１１５ａ、１１５ｂを開側に回動させ、引込体１１４に対してスライド体１１６が後端側すなわち、引込体１１４側に移動したときに捕捉片１１５ａ、１１５ｂを閉側に回動させるように、両捕捉片１１５ａ、１１５ｂの操作突起１１５ｄを案内する。
【０００７】
引込体１１４には、スライド体１１６の前後動に伴って上下動するキャッチャストッパ１１７が組み付けられている。キャッチャストッパ１１７は、捕捉片１１５ａ、１１５ｂを閉じた状態すなわち、被捕捉部材１１１を捕捉している状態（以下、捕捉状態と記す。）に保持するための部材である。引込体１１４の上端部には、キャッチャストッパ１１７の上端部１１７ａが嵌るロック孔１１４ａが設けられており、キャッチャストッパ１１７の上端部１１７ａがこのロック孔１１４ａに嵌ることにより、引込体１１４にスライド体１１６が固定され、捕捉片１１５ａ、１１５ｂが捕捉状態に保持される仕組みになっている。
【０００８】
引込体１１４、スライド体１１６、及びキャッチャストッパ１１７には、引込体１１４に対するスライド体１１６の移動方向（前後方向）とキャッチャストッパ１１７の移動方向（上下方向）とに直交する方向（水平方向）に貫通させて孔１１４ｂ、１１６ｂ、１１７ｂがそれぞれ形成されている。引込体１１４の孔１１４ｂは上下に延びる直線状のガイド孔であり、スライド体１１６の孔１１６ｂは円弧状のガイド孔であり、キャッチャストッパ１１７のガイド孔１１７ｂは円形の軸孔である。孔１１４ｂ、１１６ｂ、１１７ｂには、これらを互いに連通させた状態で軸１１９が挿着され、これにより引込体１１４とスライド体１１６とキャッチャストッパ１１７とが互い相対移動可能に連結されている。そして、スライド体１１６が引込体１１４に対して後端側に移動したときに、軸１１９と共にキャッチャストッパ１１７が上方に移動し、キャッチャストッパ１１７の上端部１１７ａが引込体１１４のロック孔１１４ａに嵌ることにより、捕捉片１１５ａ、１１５ｂが捕捉状態に保持される。
【先行技術文献】
【特許文献】
【０００９】
【特許文献１】特開２００７−３０９０８８号公報
【発明の概要】
【発明が解決しようとする課題】
【００１０】
特許文献１記載の捕捉引込機構１１０によれば、引き戸（開閉体）の閉まり際に、水平方向に開閉動する一対の捕捉片１１５ａ、１１５ｂで被捕捉部材１１１を捕捉し、引っ張りばね１１３の力で所定の方向に引き寄せることにより引き戸（開閉体）を強制的に閉じることができる。
【００１１】
しかし、特許文献１記載の捕捉引込機構１１０は、一対の捕捉片１１５ａ、１１５ｂを開閉動させ且つ捕捉片１１５ａ、１１５ｂを捕捉状態に保持するために、引込体１１４、スライド体１１６、キャッチャストッパ１１７及びこれらを互いに相対移動可能に連結している軸１１９、等からなる複雑な機構を用いているため、部品点数が多く、構造が複雑であるという問題を有している。
【００１２】
本発明が解決しようとする課題は、上述した従来の捕捉引込機構よりも部品点数が少なく且つ構造がより単純な捕捉引込機構により開閉体閉止装置を実現することにある。
【課題を解決するための手段】
【００１３】
上記課題を解決するために、本発明は、固定部材と開閉体のいずれか一方の部材に被捕捉部材を取り付けるとともに他方の部材に捕捉引込機構を設け、開閉体の閉まり際に、被捕捉部材を捕捉して、弾性体の張力で所定の向きに引き寄せることにより開閉体を強制的に閉じるように構成した開閉体閉止装置において、
前記捕捉引込機構は、前記被捕捉部材を捕捉するキャッチャと、前記キャッチャを作動させるキャッチャガイドと、前記弾性体の張力に抗して前記キャッチャを前記被捕捉部材を捕捉するための待機位置に保持するためのロック機構と、を有し、
前記キャッチャは、互いに内向きに弾性変形することによって前記被捕捉部材を両側から掴んで捕捉する一対の捕捉片を一体成型してなる樹脂成型品であり、
前記キャッチャガイドは、
前記キャッチャの両捕捉片の間に介在し、前記開閉体の閉まり際に前記被捕捉部材に押されて前記キャッチャの奥部に相対的に移動するストライカ部と、
前記ストライカ部の前記キャッチャの奥部への相対的な移動に連動して、前記キャッチャの両捕捉片を互いに内向きに弾性変形させて前記被捕捉部材を捕捉した捕捉状態に導くガイド部と、を有し、
前記ロック機構は、前記キャッチャの両捕捉片の外側部にそれぞれ形成された第1係止部と、前記待機位置にて第1係止部と係脱する第２係止部とを有し、両係止部が互いに係合することにより前記キャッチャを前記待機位置に保持し、前記キャッチャの前記待機状態から前記捕捉状態への状態変化に伴って、両係止部の互いの係合を解くように構成されている、ことを特徴としている。
【００１４】
この構成によれば、開閉体が開位置にあるとき、キャッチャはロック機構により待機位置に保持されている。待機位置に保持されている時、キャッチャは、待機状態すなわち、両捕捉片の先端部同士の間隔が被捕捉部材を受け入れ可能な間隔に開いた状態にある。開閉体を閉める際、キャッチャガイドのストライカ部が被捕捉部材に押される。これにより、キャッチャガイドのストライカ部がキャッチャの奥部に移動する。このストライカ部の移動に連動して、キャッチャの待機状態が解かれ、キャッチャガイドのガイド部がキャッチャの両捕捉片を互いに内向きに弾性変形させる。その結果、キャッチャが捕捉状態に導かれる。このとき、ロック機構の第1係止部と第２係止部との互いの係合が解除され、弾性体の張力によるキャッチャの引き寄せが開始される。被捕捉部材を捕捉した状態のキャッチャが弾性体の張力で所定の方向に引き寄せられることにより、開閉体が強制的に閉じられる。
【００１５】
このように、キャッチャとして、それ自体が弾性変形することによって前記被捕捉部材を両側から掴んで捕捉する一対の捕捉片を一体成型してなる樹脂成型品を採用し、開閉体を閉める際、キャッチャガイドが被捕捉部材に押されてキャッチャの奥部側に相対的に移動することにより、その動きに連動して、キャッチャが捕捉状態に導かれるとともに、キャッチャを待機位置に保持しているロック機構が解除されるように構成したことにより、上述した従来の捕捉引込機構よりも部品点数が少なく且つ構造がより単純な捕捉引込機構により開閉体閉止装置を実現することができる。
【００１６】
本発明の開閉体閉止装置において、前記ガイド部が、前記キャッチャの両捕捉片の先端部に作用して前記キャッチャを作動させるように構成されていることが望ましい。その構成例として、前記ガイド部にガイド孔が設けられ、前記キャッチャの両捕捉片の先端部に前記ガイド孔に係合しつつ案内されるガイド突起部を設けた構成を挙げることができる。キャッチャの両捕捉片の先端部に作用してキャッチャを作動させることにより、小さい力でキャッチャを作動させることができる。
【００１７】
本発明の開閉体閉止装置において、前記被捕捉部材は、その先端に係合部を有し、前記ストライカ部が前記キャッチャの奥部に移動した状態においても、その係合部を前記キャッチャの両捕捉片の先端部間に圧入し係合させることにより、前記キャッチャの先端部に連結可能であることが望ましい。
【００１８】
この構成によれば、キャッチャが被捕捉部材を捕捉していないにもかかわらず、何らかの原因で、捕捉状態すなわち、キャッチャの奥部に移動した状態になっている場合でも、開閉体を閉方向に移動させて、被捕捉部材の先端の係合部をキャッチャの両捕捉片の先端部間に圧入し係合させることにより、被捕捉部材をキャッチャの先端部に連結することができる。そして、被捕捉部材をキャッチャの先端部に連結した状態で、開閉体を開方向に移動させることにより、キャッチャを待機位置に保持された状態に復帰させることができる。
【００１９】
また、本発明の開閉体閉止装置は、前記キャッチャガイド（６５）を前記キャッチャ（３０）の奥部側から先端側に常時付勢している弾性部材を有していることが望ましい。
【発明の効果】
【００２０】
本発明によれば、部品点数が少なく且つ構造が単純な捕捉引込機構により開閉体閉止装置を実現することができる。
【図面の簡単な説明】
【００２１】
【図１】本発明の開閉体閉止装置を備えた引き戸装置の形態例を示す部分正面図
【図２】本発明の開閉体閉止装置の捕捉引込機構の待機状態を示す斜視図
【図３】本発明の開閉体閉止装置の捕捉引込機構の引き込み状態を示す斜視図
【図４】本発明の開閉体閉止装置の捕捉引込機構の分解斜視図
【図５】本発明の開閉体閉止装置の捕捉引込機構の待機状態を示す要部平面図
【図６】本発明の開閉体閉止装置の捕捉引込機構と被捕捉体とが当接した瞬間の状態を示す要部平面図
【図７】本発明の開閉体閉止装置の捕捉引込機構の捕捉引き込み状態を部分拡大図と共に示す要部平面図
【図８】本発明の開閉体閉止装置の捕捉引込機構の（ａ）待機状態及び（ｂ）捕捉状態を示す要部斜視図
【図９】本発明の開閉体閉止装置の捕捉引込機構が被捕捉部材を捕捉していないにもかかわらず捕捉状態になっているときの要部平面図
【図１０】図９の状態において被捕捉部材を捕捉引込機構に係合させる過程を示す要部平面図
【図１１】図１０の過程を経て被捕捉部材が捕捉引込機構に係合した状態示す要部平面図
【図１２】本発明の開閉体閉止装置の捕捉引込機構が備えるガイドローラ位置調節機構の構成及び動作を例示する要部断面図
【図１３】本発明の開閉体閉止装置の捕捉引込機構が備える引き込み力調節機構の構成を例示する要部断面図
【図１４】図１３に示す引き込み力調節機構の平面図
【図１５】本発明の開閉体閉止装置の捕捉引込機構が引き戸に取り付けられている状態を示す平面図
【図１６】本発明の開閉体閉止装置の被捕捉部材の形態例を示す斜視図
【図１７】図１６に示す部材を斜め上方から見た分解斜視図
【図１８】図１６に示す部材を斜め下方から見た分解斜視図
【図１９】従来の開閉体閉止装置の捕捉引込機構を例示する要部分解斜視図
【発明を実施するための形態】
【００２２】
以下、本発明を実施するための最良の形態について説明する。この実施形態では、本発明を引き戸装置用の開閉体閉止装置に適用した場合を例にとり説明する。
【００２３】
図１は本発明の開閉体閉止装置を備えた引き戸装置の形態例を示す部分正面図である。
【００２４】
図１に示す引き戸装置は、建物の開口部を開閉する引き戸（開閉体）２と、引き戸２をその上方に敷設されているガイドレール（固定部材）１に沿わせて案内するべく引き戸２の上端に取り付けられた図示しない一対のガイド部材と、引き戸２を閉まり際に制動しつつ閉位置に誘導する開閉体閉止装置１０と、を有している。
【００２５】
開閉体閉止装置１０は、ガイドレール１に固定して設けられた被捕捉部材１１と、引き戸２に設けられた捕捉引込装置（捕捉引込機構）２０と、を有している。被捕捉部材１１は、ガイドレール１の戸当り３近傍の所定の位置に取り付けられている。捕捉引込装置２０は、引き戸２の戸当り３側の上端角部に形成された細長い埋設孔２ａに嵌め込んだ状態で引き戸２内に埋設されている。捕捉引込装置２０の上端及び先端は、埋設孔２ａから露出している。
【００２６】
この開閉体閉止装置１０は、引き戸２の閉まり際に、被捕捉部材１１を捕捉して、引き戸２側（図１の例では右側）に相対的に引き寄せることにより引き戸２を強制的に閉じる働きをする。
【００２７】
図２及び図３は捕捉引込装置２０の斜視図であり、それぞれ待機状態及び引き込み状態を示している。図４は捕捉引込装置２０の分解斜視図である。図５、図６及び図７は捕捉引込機構２０の要部平面図であり、それぞれ待機状態、捕捉引込機構と被捕捉体とが当接した瞬間の状態及び引き込み状態を示している。図８は捕捉引込機構の待機状態及び捕捉状態を示す要部斜視図である。
【００２８】
捕捉引込装置２０は、金属製の本体２１と、本体２１の先端（木口２ｂ側の端）に固定された先端側固定ブロック２２と、本体２１の後端に固定された後端側固定ブロック２３とを有している。
【００２９】
本体２１は、底を有し上端が開口している細長い箱状の部材である。本体２１は、金属製の板材を切断、孔あけ及び折り曲げ加工することにより形成されたものである。
【００３０】
先端側固定ブロック２２及び後端側固定ブロック２３は、樹脂成型品である。両固定ブロック２２、２３には、それぞれ螺子孔２２ａ、２３ａが設けられている。本体２１の両端部には、両固定ブロック２２、２３の螺子孔２２ａ、２３ａと連通する螺子孔２１ｆが設けられている。
【００３１】
捕捉引込装置２０は、引き戸２の埋設孔２ａに嵌め込んだ状態で、螺子孔２２ａ、２３ａにそれぞれ螺子（図示省略）を挿通して引き戸２に締着することにより、引き戸２に強固に固定されている。
【００３２】
図４に示すように、捕捉引込装置２０は、被捕捉部材１１を捕捉するキャッチャ３０と、先端側固定ブロック２２及び本体２１内を長手方向（矢印Ａ方向）にスライドするスライダ４０と、スライダ４０を本体２１の後端側に付勢している引張りばね（弾性体）５０と、キャッチャ３０を作動させるキャッチャガイド６５と、この捕捉引込装置２０とガイドレール１との摺動抵抗を軽減するためのガイドローラ７０と、ガイドローラ位置調節機構８０と、引張りばね５０の張力に抗してキャッチャ３０を待機位置すなわち、被捕捉部材１１を捕捉するための位置に保持するためのロック機構９０と、引張りばね５０による引き込み力を調整する引き込み力調節機構１００と、を有している。
【００３３】
キャッチャ３０は、水平方向に弾性変形して開閉する一対の捕捉片３１、３２を一体成型してなる樹脂成型品である。
【００３４】
両捕捉片３１、３２の先端面は、被捕捉部材１１を受け入れてキャッチャ３０内に案内するべく先端に向かって外側に傾斜した傾斜面３４になっている。両捕捉片３１、３２の先端近傍には、被捕捉部材１１を係止する係合突起部３１ａ、３２ａが互いに内向きに突出させて形成されている。傾斜面３４は、捕捉片３１、３２の先端から係合突起部３１ａ、３２ａに延びている。
【００３５】
キャッチャ３０は、これが自然状態のとき、両捕捉片３１、３２の先端部同士の間隔が被捕捉部材１１を受け入れ可能な間隔Ｄ１ａに開いた待機状態にある（図５参照）。そして、両捕捉片３１、３２自体が互いに内向きに弾性変形させられることによって捕捉状態すなわち、被捕捉部材１１を両側から掴んで捕捉した状態になる。キャッチャ３０が捕捉状態にあるとき、両係止突起部３１ａ、３２ａ間の間隔Ｄ１ｂは、被捕捉部材１１の幅Ｄ２ａ、Ｄ２ｂよりも狭い（図７参照）。
【００３６】
両捕捉片３１、３２の先端近傍外側には、係止突起部（第１係止部）３１ｄ、３２ｄが外方に突出させて形成されている。一方、先端側固定ブロック２２には、両捕捉片３１、３２の係止突起部３１ｄ、３２ｄと係脱する係止孔（第２係止部）２２ｂが形成されている。そして、係止突起部３１ｄ、３２ｄと係止孔２２ｂとが互いに係合することによりキャッチャ３０が待機位置に保持され、キャッチャ３０の待機状態から捕捉状態への状態変化に伴って、係止突起部３１ｄ、３２ｄと係止孔２２ｂとの互いの係合が解かれるように構成されている。すなわち、この実施形態では、ロック機構９０が両捕捉片３１、３２に形成された係止突起部３１ｄ、３２ｄと、先端側固定ブロック２２に形成された係止孔２２ｂと、により構成されている。
【００３７】
両捕捉片３１、３２の先端近傍下端には、後述するガイド孔６１ａに係合しつつ案内されるガイド突起部３１ｃ、３２ｃが下方に突出させて形成されている。
【００３８】
キャッチャ３０の後端には、キャッチャ３０とスライダ４０とを互いに一体的に連結するための水平断面が略Ｔ字状の嵌合凸部３３が形成されている。
【００３９】
キャッチャガイド６５は、キャッチャ３０の両捕捉片３１、３２の間に介在し、引き戸２の閉まり際に被捕捉部材１１に押されてキャッチャ３０の奥部に移動するストライカ部６０と、ストライカ部６０のキャッチャ３０の奥部への移動に連動して、キャッチャ３０をその両捕捉片３１、３２自体の弾性力に抗して被捕捉部材１１を捕捉した捕捉状態に導くガイド部６１と、を有している。両捕捉片３１、３２の内面の前後方向中間部には、ストライカ部６０を両側から狭持した状態で両捕捉片３１、３２間に介在させるべく、狭持突起部３１ｂ、３２ｂが互いに内向きに突出させて形成されている。キャッチャ３０がそれ自体の弾性により自然状態を維持し、且つ、ストライカ部６０が両捕捉片３１、３２間に介在することにより、キャッチャ３０が待機状態に保持される。
【００４０】
キャッチャ３０内の両狭持突起部３１ｂ、３２ｂよりも奥側には、ストライカ部６０を若干余裕を持って収容可能な空間３０ｓが設けられている。
【００４１】
ガイド部６１は、ストライカ部６０の下端部に一体的に設けられている。ガイド部６１は、平板状に形成され、その下面がスライダ４０の上面４１ａに摺接している。ストライカ部６０の上端部には、キャッチャ３０の上端面に接する張り出し部６２が設けられている。
【００４２】
ガイド部６１の先端近傍には、両捕捉片３１、３２のガイド突起部３１ｃ、３２ｃを水平方向に対称的に案内する一対の円弧状のガイド孔６１ａが設けられている。ストライカ部６０の後端部とキャッチャ３０の最奥部との間には、コイルスプリング（弾性部材）６３が設けられている。コイルスプリング６３は、図９乃至図１１に示すように、ストライカ部６０の後端部に形成された穴６０ａに挿入されており、ストライカ部６０がキャッチャ３０の奥部空間３０ｓ内にあるときは、圧縮された状態で穴６０ａ内に収容されている（図７参照）。キャッチャガイド６５は、このコイルスプリング６３の弾性反発力によってキャッチャ３０の先端側に常時付勢されている。
【００４３】
キャッチャ３０の待機状態から捕捉状態への状態変化は、引き戸２を閉める際に、キャッチャガイド６５のストライカ部６０が被捕捉部材１１に当接して押されることによりなされる。図８（ａ）中の矢印Ｃは、被捕捉部材１１がキャッチャガイド６５のストライカ部６０を押す力の向きを示している。この力に押されてキャッチャガイド６５のストライカ部６０がキャッチャ３０の奥部側に移動することにより、ガイド部６１もストライカ部６０と共に移動する。ストライカ部６０が両狭持突起部３１ｂ、３２ｂの間から抜けることにより、キャッチャ３０の待機状態が解かれる。そして、ガイド部６１の移動に伴って両捕捉片３１、３２のガイド突起部３１ｃ、３２ｃがガイド孔６１ａに沿って互いに内向きに案内される。その結果、図８（ａ）中に矢印Ｄで示すように、両捕捉片３１、３２が互いに内向きに弾性変形し、図８（ｂ）に示す捕捉状態になる。
【００４４】
スライダ４０は、キャッチャ３０とキャッチャガイド６５とを搭載する前半部４１と、ガイドローラ７０を搭載する後半部４２とからなる。前半部４１の上面４１ａは平坦であり、ここにキャッチャガイド６５のガイド部６１が摺接している。後半部４２の上部は、前半部４１よりも段状に高くなっている。後半部４２の上部前端には、キャッチャ３０の嵌合凸部３３が嵌合する水平断面が略Ｔ字状の嵌合凹部４３が形成されている。後半部４２の下部後端には、引張りばね５０を連結するための連結溝４４ａが形成され、ここに引張りばね５０の一方の端部５１がその括れた部分を係合させて連結されている。
【００４５】
スライダ４０の後半部４２の両側には、スライダ４０の移動方向に延びる直線状のガイド突起４２ａが外方に突出させて設けられている。本体２１の両側壁２１ａ、２１ｂには、スライダ４０の移動方向に延びる細長いガイド孔２１ｃが設けられており、ガイド孔２１ｃにスライダ４０のガイド突起４２ａが摺動可能に嵌合している。
【００４６】
スライダ４０は、そのガイド突起４２ａが本体２１のガイド孔２１ｃに案内されることにより、本体２１の長手方向に直線的に案内される。ガイド孔２１ｃは、本体２１の先端近傍から長手方向の中心部まで延びている。
【００４７】
ガイドローラ７０は、ガイドレール１の内側面と接しつつ略水平方向に従動回転する薄い円板状の部材であり、その直径寸法はガイドレール１の両内側面の間の間隔よりも若干小さめの寸法に選定されている。ガイドローラ７０は、その中心部に軸孔７１を有しており、その軸孔７１に挿通された回転支軸８１によって回転自在に支持されている。
【００４８】
スライダ４０の後半部４２には、回転支軸８１が挿通されるガイド孔４５が設けられている。ガイド孔４５は、スライダ４０の移動方向に対して水平方向に傾斜して直線状に延びる長孔である。
【００４９】
スライダ４０の内部には、前後調整ブロック８２が収容されている。前後調整ブロック８２は、スライダ４０に対して、前後方向すなわちスライダ４０の移動方向に相対的に移動可能に設けられている。前後調整ブロック８２は、スライダ４０の内面に接して前後方向に摺動する略直方体形状の摺動部８２ａと、摺動部８２ａの後端からさらに後方に延びる弾性変形部８２ｂとを有する。弾性変形部８２ｂの自由端部（後端部）には、回転支軸８１が挿通される支軸保持孔８２ｃが設けられている。弾性変形部８２ｂは、軸孔８２ｃが設けられている後端部を除いて薄厚に形成されており、この薄厚の部分８２ｄが水平方向に弾性変形し得る構造になっている。
【００５０】
回転支軸８１は、ガイドローラ７０、スライダ４０、及び前後調整ブロック８２の孔７１、４５、及び８２ｃに挿通されている。
【００５１】
スライダ４０の先端壁には、螺子通し孔４６が貫通させて設けられ、この螺子通し孔４６に、前後調整ブロック８２を進退操作するための操作螺子（操作子）８３が挿通されている。前後調整ブロック８２の摺動部８２ａの前端部には操作螺子８３が螺入される螺子穴８２ｅが設けられている。
【００５２】
操作螺子８３は、スライダ４０の螺子通し孔４６に挿通されるとともに前後調整ブロック８２の螺子穴８２ｅに螺入されており、この操作螺子８３をドライバなどの工具を使用して回転操作することにより、図１２に示すように、スライダ４０内における前後調整ブロック８２の位置を前後（矢印Ａ方向）に微調整することができるようになっている。
【００５３】
この前後調整ブロック８２の前後移動に伴って、回転支軸８１がスライダ４０のガイド孔４５に沿って移動する。ガイド孔４５がスライダ４０の移動方向（矢印Ａ方向）に対して水平方向に傾斜して直線状に延びているため、回転支軸８１は、ガイド孔４５に沿って移動することにより、スライダ４０の移動方向（矢印Ａ方向）に対して水平方向に直交する方向（矢印Ｂ方向）、すなわち引き戸２の板厚方向に変位する。この方向（矢印Ｂ方向）への回転支軸８１の移動は、前後調整ブロック８２の弾性変形部８２ｂが弾性変形することにより許容される。ガイドローラ７０は回転支軸８１と共に移動するため、操作螺子８３を回転操作することにより、引き戸２の板厚方向におけるガイドローラ７０の位置を微調整することができる。すなわち、この実施形態の例では、回転支軸８１、前後調整ブロック８２、ガイド孔４５、操作螺子８３、等によりガイドローラ位置調節機構８０が構成されている。
【００５４】
スライダ４０の後端部には、本体２１に沿って延びるカバー４７が取り付けられている。カバー４７は、スライダ４０と共に移動し、スライダ４０よりも後端側の所定の範囲にかけて本体２１の上端開口部を簡易的に閉塞する薄く細長い板状の部材である。スライダ４０の後端上縁近傍には、カバー４７を取り付けるための螺子穴４８が設けられている。カバー４７の一方の端部には、螺子挿通孔４７ａが設けられている。カバー４７は、その螺子挿通孔４７ａに挿通した螺子４９を螺子穴４８に締着することにより、スライダ４０の後端部に片端支持の状態で取り付けられている。
【００５５】
本体２１内には、引き戸２の閉まり際に圧縮され反発することにより制動力を発生する直動式のダンパユニット（緩衝機構）５５が設けられている。ダンパユニット５５は、出力軸５５Ａと、出力軸５５Ａを軸方向に進退自在に保持しているユニット本体５５Ｂとを有する。ユニット本体５５Ｂ内には、出力軸５５Ａの縮長方向への移動に制動力を作用させるオイルなどの抵抗流体（図示省略）が収容されている。本体２１の後端部には、ユニット本体５５Ｂの端部を保持するブラケット状のダンパ保持部２４が形成されている。ユニット本体５５Ｂは、その後端がダンパ保持部２４に設けられた保持孔２４ａに挿入され、ダンパ保持部２４の後端内面に当接している。
【００５６】
ユニット本体５５Ｂ内には、ユニット本体５５Ｂの前後動を防止するべくダンパ押さえ５６が設けられている。ダンパ押さえ５６には、出力軸５５Ａの移動方向に貫通した軸孔５６ａが設けられている。ダンパユニット５５の出力軸５５Ａは、この軸孔５６ａを非接触で貫通し、その先端部がスライダ４０の後端部に連結されている。より詳細には、図５及び図６に示すように、スライダ４０の後半部４２の上部後端には、出力軸５５Ａを連結するための連結溝４４ｂが形成され、ここに出力軸５５Ａの先端部５５ａがその括れた部分を係合させて連結されている。
【００５７】
ダンパ押さえ５６には、出力軸５５Ａの移動方向と水平方向に直交する止め孔５６ｂが貫通させて形成されている。本体２１の両側壁２１ａ、２１ｂには、ガイド孔２１ｃの後端近傍に止め孔２１ｄが設けられている。ダンパ押さえ５６は、その止め孔５６ｂを本体２１の両側壁２１ａ、２１ｂの止め孔２１ｄと連通させた状態で、止め孔５６ｂ、２１ｄに止めピン５７が挿着されることにより本体２１に固定されている。そして、ダンパ押さえ５６とダンパ保持部２４の後端内面との間に挟まれた状態でユニット本体５５Ｂが本体内の所定の位置に保持されている。
【００５８】
引き込み力調節機構１００は、引張りばね５０の他端に固定して取り付けられたばね力調整ブロック１０１と、ばね力調整ブロック１０１を後端側固定ブロック２３に前後方向すなわち引張りばね５０の張力方向に位置調節可能に固定する調整ブロック固定機構１０２と、を有する。ばね力調整ブロック１０１は、後端側固定ブロック２３内に前後移動可能に収容されている。
【００５９】
図１３に示すように、ばね力調整ブロック１０１の上面部には、引張りばね５０の張力方向に対して水平方向に直交する方向に延びる矩形状の山部１０２ａと谷部１０２ｂとを、引張りばね５０の張力方向に交互に形成してなる第１係合部１０２が設けられている。
【００６０】
一方、後端側固定ブロック２３の内部上面部には、ばね力調整ブロック１０１の第１係合部１０２と噛み合う第２係合部１０３が設けられている。第２係合部１０３は、引張りばね５０の張力方向に対して水平方向に直交する方向に延びる矩形状の山部１０３ａと谷部１０３ｂとを、引張りばね５０の張力方向に交互に形成してなる。
【００６１】
後端側固定ブロック２３の上端部には、前後方向に延びる長孔状の螺子通し孔１０４が設けられている。螺子通し孔１０４には、ばね力調整ブロック１０１を位置調整して固定するための螺子１０５が挿通されている。螺子通し孔１０４は、螺子１０５のヘッド部１０５ａを収容している。螺子通し孔１０４の下側開口縁部には、螺子１０５のヘッド部１０５ａの下面が係合する座部１０４ａが形成されている。
【００６２】
ばね力調整ブロック１０１の中央部には、これを上下方向に貫通させて螺子孔１０６が設けられている。この螺子孔１０６に、螺子１０５の螺子部１０５ｂが螺合している。
【００６３】
ばね力調整ブロック１０１は、その第１係合部１０２を後端側固定ブロック２３の第２係合部１０３に噛合させた状態で、螺子１０５を螺子孔１０６に締着することにより、後端側固定ブロック２３に固定されている。ばね力の調整は、螺子１０５を一旦緩めて、ばね力調整ブロック１０１を前後に移動させ、第１係合部１０２と第２係合部１０３との噛合位置を変更した後、再度螺子１０５を締め付けることによりなされる。図１４（ａ）は、ばね力が最大になるように調整した状態を、図１４（ｂ）は、ばね力が最小になるように調整した状態を、それぞれ示している。
【００６４】
図７に示すように、被捕捉部材１１は、引き戸２の移動方向両端部に係合部１１ａ、１１ｂを有し、両係合部１１ａ、１１ｂ間がくびれた構造になっている。両係合部１１ａ、１１ｂのうち、キャッチャガイド６５のストライカ部６０と当接する方の係合部（以下、第２係合部と記す。）１１ｂの幅Ｄ２ｂは、もう一方の係合部（以下、第１係合部と記す。）１１ａの幅Ｄ２ａよりも小寸に選定されている。そして、被捕捉部材１１は、図９に示すように、ストライカ部６０がキャッチャ３０の奥部に移動した状態においても、図１０及び図１１に示すように、第２係合部１１ｂをキャッチャ３０の両捕捉片３１、３２の係合突起部（先端部）３１ａ、３２ａ間に圧入して、両係合突起部３１ａ、３２ａに係合させることにより、キャッチャ３０に連結することができるようになっている。
【００６５】
図１６に示すように、第２係合部１１ｂの両側面は、両捕捉片３１、３２の係合突起部（先端部）３１ａ、３２ａ間への圧入を可能にするべく、ストライカ部６０側に向かって互いに内向きに傾斜した傾斜面１１ｃになっている。第２係合部１１ｂの括れ部１１ｅとの境界には、両捕捉片３１、３２からの第２係合部１１ｂの抜けを防止するべく角部１１ｄが形成されている。
【００６６】
図１０に示すように、被捕捉部材１１の第２係合部１１ｂをキャッチャ３０の両捕捉片３１、３２の係合突起部（先端部）３１ａ、３２ａ間に圧入する際、両捕捉片３１、３２が被捕捉部材１１によって押し拡げられるため、本体２１の両側壁２１ａ、２１ｂが両捕捉片３１、３２の係止突起部３１ｄ、３２ｄに内側から押されて撓む。その結果、本体２１の両側壁２１ａ、２１ｂは、外方に一時的に若干膨らむ。
【００６７】
図１５に示すように、本体２１の両側壁２１ａ、２１ｂと引き戸２の埋設孔２ａの両内側面２ｄとの間には、若干隙間２ｃが形成されている。この隙間２ｃの存在により、本体２１の両側壁２１ａ、２１ｂの外方への若干の膨みを許容している。
【００６８】
図１６に示すように、被捕捉部材１１は、矩形平板状のスライド部１２を有している。スライド部１２は、被捕捉部材１１の上端から水平方向に張り出している。
【００６９】
被捕捉部材１１は、保持体１３に保持されている。保持体１３の一方の端部には、スライド部１２を引き戸２の開閉方向に対して水平方向に直交する方向（矢印Ｂ方向）すなわち、引き戸２の板厚方向に若干変位可能に保持している保持部１４を有している。保持部１４は、スライド部１２の両端縁部に嵌合してスライド部１２を変位方向に案内する互いに向き合うガイド溝１４ａを有している。図１８に示すように、保持部１４の下面には、保持体１３からの被捕捉部材１１の外れ防止用の係合突起１４ｂが設けられている。一方、図１７に示すように、スライド部１２の上面には、係合溝１２ａと案内溝１２ｂとが形成されている。係合突起１４ｂは、保持部１４の下面から少し突起した円形の突起である。係合溝１２ａは、係合突起１４ｂと係合して保持体１３からの被捕捉部材１１の外れを防止するとともに、保持体１３に対するスライド部１２の変位を許容するべく形成された長溝である。案内溝１２ｂは、係合溝１２ａの一端からスライド部１２の側縁に延びる溝であり、スライド部１２の側縁から係合溝１２ａにかけて漸次浅くなっている。被捕捉部材１１は、スライド部１２を案内溝１２ｂ側から保持部１４にスライドさせつつ嵌合させることにより、保持体１３に取り付けられる。その際、係合突起１４ｂが案内溝１２ｂに案内されて係合溝１２ａに嵌ることにより、スライド部１２が保持部１４から外れなくなる。保持体１３には、螺子通し孔１３ａが設けられている。保持体１３は、螺子（図示省略）を螺子通し孔１３ａに挿通し、ガイドレール１に設けられた螺子孔（図示省略）に締着することによりガイドレール１に固定されている。
【００７０】
つぎに、上記のように構成された開閉体閉止装置１０の作用・効果について説明する。
【００７１】
引き戸２が開位置にあるとき（図１（ａ））、キャッチャ３０はロック機構９０により待機位置に保持されている。待機位置に保持されている時、キャッチャ３０は自然状態にあり、それ自体の弾性に加えて、両捕捉片３１、３２の先端部に設けられているガイド突起部３１ｃ、３２ｃがキャッチャガイド６５のガイド孔６１ａによって外方に案内されていること、及びキャッチャガイド６５が両狭持突起部３１ｂ、３２ｂ間に介在していることにより、待機状態すなわち、両捕捉片３１、３２の係合突起部（先端部）３１ａ、３２ａ同士の間隔が被捕捉部材１１を受け入れ可能な間隔Ｄ１ａに開いた状態にある。引き戸２を閉める際、キャッチャガイド６５のストライカ部６０が被捕捉部材１１に当接し、キャッチャ３０の奥部側に押される。ストライカ部６０の移動に連動して、キャッチャガイド６５のガイド部６１によりキャッチャ３０の両捕捉片３１、３２が互いに内向きに弾性変形させられる。この時、ストライカ部６０が両狭持突起部３１ｂ、３２ｂから抜けてキャッチャ３０の奥部の空間３０ｓに移動する。その結果、キャッチャ３０の待機状態が解かれる。その結果、キャッチャ３０が捕捉状態すなわち、被捕捉部材１１を捕捉した状態になる。このとき、ロック機構９０を構成する係止突起部３１ｄ、３２ｄと係止孔２２ｂとの互いの係合が解除され、引張りばね５０の張力によるスライダ４０の引き寄せが開始される。被捕捉部材１１を捕捉した状態のキャッチャ３０を搭載しているスライダ４０が引張りばね５０の張力で所定の方向に引き寄せられることにより、引き戸２が強制的に閉じられる。その際、ダンパユニット５５が作動し、引き戸２の急激な動きが制動されるため、引き戸２は静かに閉位置に導かれる。
【００７２】
キャッチャ３０は、待機位置から外れると、その両捕捉片３１、３２の外側に設けられた係止突起部３１ｄ、３２ｄが本体２１の両側壁２１ａ、２１ｂの内面に摺接し、両捕捉片３１、３２の外方への変形が阻止された状態になるため（図７参照）、これが再び待機位置に戻り、その両係止突起部３１ｄ、３２ｄが先端側固定ブロック２２の両係止孔２２ｂに係合するまで、捕捉状態が解除されることはない。
【００７３】
このように、キャッチャとして、それ自体が弾性変形することによって被捕捉部材１１を両側から掴んで捕捉する一対の捕捉片３１、３２を一体成型してなり、これが自然状態のときに両捕捉片３１、３２の先端部係合突起部（先端部）３１ａ、３２ａ同士の間隔が被捕捉部材１１を受け入れ可能な間隔Ｄ１ａに開いた待機状態にある樹脂成型品を採用し、キャッチャ３０をそれ自体の弾性に加えて、両捕捉片３１、３２のガイド突起部３１ｃ、３２ｃがガイド孔６１ａによって外方に案内されていること及びキャッチャガイド６５が両狭持突起部３１ｂ、３２ｂ間に介在していることにより待機状態にしておき、引き戸２を閉める際、キャッチャガイド６５が被捕捉部材１１に押されてキャッチャ３０の奥部側に相対的に移動することにより、その動きに連動して、キャッチャ３０が捕捉状態に導かれるとともに、キャッチャ３０を待機位置に保持しているロック機構９０が解除されるように構成したことにより、従来の捕捉引込機構よりも部品点数が少なく且つ構造がより単純な捕捉引込機構により開閉体閉止装置を実現することができる。
【００７４】
また、この実施形態では、キャッチャ３０が被捕捉部材１１を捕捉していないにもかかわらず、何らかの原因で、図９に示すように、捕捉状態すなわち、キャッチャ３０の奥部に移動した状態になっている場合でも、引き戸２を閉方向に移動させて、図１０乃至図１１に示すように、被捕捉部材１１の先端の第２係合部１１ｂをキャッチャ３０の両捕捉片３１、３２の先端部間に圧入し係合させることにより、被捕捉部材１１の先端部をキャッチャ３０に連結することができる。そして、被捕捉部材１１の先端の第２係合部１１ｂをキャッチャ３０に連結した状態で、引き戸２を開方向に移動させることにより、キャッチャ３０を図５に示すように待機位置に保持された状態に復帰させることができる。
【００７５】
また、この実施形態では、ガイドレール１の内側面と接しつつ略水平方向に従動回転するガイドローラ７０が、キャッチャ３０を搭載したスライダ４０と共に移動するように構成されているため、キャッチャ３０が被捕捉部材１１を捕捉し、引張りばね５０がスライダ４０の引き寄せを行っている間、引き戸２はガイドレール１に対して移動するが、ガイドローラ７０はガイドレール１に対して停止している。したがって、引き戸２を引張りばね５０の張力で閉方向に移動させる際、ガイドレール１とガイドローラ７０との間に全く摺動抵抗が発生しないため、引き戸２をスムーズに閉位置に誘導することができる。
【００７６】
また、この実施形態では、ガイドローラ位置調節機構８０の操作螺子８３をドライバなどの工具を使用して回転操作することにより、図１２に示すように、スライダ４０の移動方向に対して水平方向に直交する方向（矢印Ｂ方向）すなわち、引き戸２の板厚方向におけるガイドローラ７０の位置を微調整することができる。したがって、ガイドレール１に対して引き戸２がその板厚方向に片寄っている等の原因で、引き戸２を開け閉めする際にガイドローラ７０がガイドレール１の内壁に強く接し、ガイドローラ７０とガイドレール１との間の摺動抵抗が大きくなる場合でも、ガイドローラ７０の位置を微調整することにより、ガイドローラ７０とガイドレール１との間の摺動抵抗を小さくして、引き戸２の円滑な開け閉めを可能にするすることができる。また、ガイドローラ７０の位置を微調整することにより、キャッチャ３０による被捕捉部材１１の捕捉が確実になされるようにすることができる。
【００７７】
また、この実施形態の開閉体閉止装置１０は、引き込み力調節機構１００を備えているので、引き戸２の荷重抵抗や摺動抵抗、ダンパユニット５５による制動抵抗などの大きさに応じて、引張りばね５０の張力を適切に調節できる。
【００７８】
また、この実施形態では、被捕捉部材１１が、引き戸２の開閉方向に対して水平方向に直交する方向すなわち、引き戸２の板厚方向に変位可能に保持されているので、キャッチャ３０と被捕捉部材１１とが引き戸２の板厚方向に相対的に片寄っている場合でも、キャッチャ３０の先端部の傾斜面３４と被捕捉部材１１の第２係合部１１ｂの傾斜面１１ｃとが互いに当接することにより、被捕捉部材１１が変位して、キャッチャ３０と被捕捉部材１１との間の相対的な片寄りが解消される。したがって、キャッチャ３０による被捕捉部材１１の捕捉が常に確実になされる。
【００７９】
また、この実施形態では、本体２１の両側壁２１ａ、２１ｂと引き戸２の埋設孔２ａの両内側面２ｄとの間に隙間２ｃが形成されているので、何らかの原因で埋設孔２ａの板厚方向の幅が狭くなった場合でもこれを許容し、本体２１の両側壁２１ａ、２１ｂが埋設孔２ａの両内側面２ｄに圧迫されて内側へ湾曲変形するのを防止できる。これにより、キャッチャ３０やスライダ４０の円滑な動作を確保できる。埋設孔２ａの板厚方向の幅が狭くなる原因として、引き戸２を構成する板材の吸湿膨張を挙げることができる。
【００８０】
なお、上記実施形態では、被捕捉部材１１をガイドレール１に取り付け、捕捉引込装置を引き戸２に取り付けた例を示したが、これとは反対に、被捕捉部材１１を引き戸２など開閉体に取り付け、捕捉引込装置をガイドレール１など固定部材に取り付けてもよい。
【００８１】
また、上記実施形態では、キャッチャ３０が自然状態のときに、待機状態すなわち、被捕捉部材１１を受け入れ可能な状態になっていて、両捕捉片３１、３２をキャッチャガイド６５により強制的に内方に弾性変形させることにより捕捉状態が実現されるように構成した例について説明したが、これとは逆に、キャッチャ３０が自然状態のときに捕捉状態になり、両捕捉片３１、３２をキャッチャガイド６５により強制的に外方に弾性変形させることにより捕捉状態が実現されるように構成してもよい。
【００８２】
また、上記実施形態では、ダンパユニット５５を備えている装置構成について説明したが、ダンパユニット５５は必須の構成要素ではない。
【００８３】
また、上記実施形態では、キャッチャガイド６５のガイド部６１がストライカ部６０の下端部に設けられているが、ストライカ部６０の上端部に設けられている張り出し部６２にガイド部６１の機能を持たせてもよい。この場合、ガイド部６１としての張り出し部６２にガイド孔６１ａが設けられ、両捕捉片３１、３２の先端近傍上端部にガイド突起部３１ｃが設けられる。
【００８４】
また、上記実施形態では、両捕捉片３１、３２に係止突起部（第１係止部）３１ｄ、３２ｄが設けられ、先端側固定ブロック２２に係止孔（第２係止部）２２ｂが設けられているが、これとは反対に、両捕捉片３１、３２に係止孔（第２係止部）２２ｂを設け、先端側固定ブロック２２に係止突起部（第１係止部）３１ｄ、３２ｄを設けてもよい。
【００８５】
また、上記実施形態では、前後調整ブロック８２を進退操作するために操作螺子８３を使用しているが、螺子以外のその他の操作子を使用することも可能である。
【００８６】
また、本発明の開閉部材閉止装置は、開き戸装置や抽斗装置などその他の開閉装置の開閉部材閉止装置としても有効に利用可能である。
【符号の説明】
【００８７】
１  ガイドレール（固定部材）
２  引き戸（開閉体）
１０  開閉体閉止装置
１１  被捕捉部材
２０  捕捉引込装置（捕捉引込機構）
２２ｂ  係止孔（第２係止部）
３０  キャッチャ
３１、３２  捕捉片
３１ａ、３２ａ  係合突起部（先端部）
３１ｂ、３２ｂ  狭持突起部
３１ｃ、３２ｃ  ガイド突起部
３１ｄ、３２ｄ  係止突起部（第１係止部）
４０  スライダ
４５  ガイド孔
５０  引張りばね（弾性体）
６０  ストライカ部
６１  ガイド部
６１ａ  ガイド孔
６３  コイルスプリング（弾性部材）
６５  キャッチャガイド
７０  ガイドローラ
８０  ガイドローラ位置調節機構
８１  回転支軸
８２  前後調整ブロック
８２ａ  摺動部
８２ｂ  弾性変形部
８２ｃ  支軸保持孔
９０  ロック機構
１００  引き込み力調節機構
【図１】
0005576255.tif 000002
【図２】
0005576255.tif 000003
【図３】
0005576255.tif 000004
【図４】
0005576255.tif 000005
【図５】
0005576255.tif 000006
【図６】
0005576255.tif 000007
【図７】
0005576255.tif 000008
【図８】
0005576255.tif 000009
【図９】
0005576255.tif 000010
【図１０】
0005576255.tif 000011
【図１１】
0005576255.tif 000012
【図１２】
0005576255.tif 000013
【図１３】
0005576255.tif 000014
【図１４】
0005576255.tif 000015
【図１５】
0005576255.tif 000016
【図１６】
0005576255.tif 000017
【図１７】
0005576255.tif 000018
【図１８】
0005576255.tif 000019
【図１９】
0005576255.tif 000020